(57)【特許請求の範囲】
【請求項１】
ボアが上下方向に向いた縦型のマグネットと、
床面に設置されていて前記マグネットを支持する柱と、
前記床面よりも下の位置から前記ボア内へ被検者を搬送するとともに、前記ボア内から前記床面よりも下の位置へ前記被検者を搬出する昇降手段と、
ＭＲ画像を用いて前記被検者の脳の機能を調べるために、前記被検者の五感のいずれかを働かせる作用手段とを備えたＭＲ装置であって、
前記床面から前記床面よりも下の位置までの間、前記被検者が通る通路が形成されたことを特徴とするＭＲ装置。
【請求項２】
請求項１に記載のＭＲ装置において、
前記被検者が通る通路は階段であることを特徴するＭＲ装置。
【請求項３】
請求項１又は請求項２に記載のＭＲ装置において、
前記作用手段は、前記被検者が演奏するキーボードであることを特徴するＭＲ装置。
【請求項４】
請求項１から請求項３のいずれかに記載のＭＲ装置において、
前記マグネットの回りに、前記マグネットの上面と略同じ高さの足場を設けたことを特徴するＭＲ装置。
【発明の詳細な説明】
【０００１】
【発明の属する技術分野】
本発明は、柱で支持された縦型ボア(bore)のマグネット(magnet)を有し、被検体が床面側から前記マグネット内へ搬送される縦型ボアMR(Mgnetic Resonance)装置が設置可能な撮影室に関する。
【０００２】
【従来の技術】
被検体が座った状態でスキャン(scan)を行ない、五感が刺激された脳の機能を調べるために図５に示すような構造のMR装置が提案されている。
【０００３】
図において、縦型ボアのマグネット１は、床面FLに設けられた四本の支柱３によって支持されている。
被検体５は、床面とマグネット１のボア７内との間で昇降搬送されるようになっている。
【０００４】
【発明が解決しようとする課題】
しかし、上記構成のMR装置の場合、支柱５は、被検体５が無理な姿勢をとらずにマグネット１の下方に行き来できるような高さ(例えば、1700mm程度)が必要である。
【０００５】
よって、マグネット１が高所に位置するので、撮影室の屋根の高さが高くなる問題点がある。
又、マグネット１が高所にあるので、スキャン中の被検体にとっては恐怖感が発生する問題点がある。
【０００６】
更に、マグネット１が高所にあるので、安全にMR装置の保守を行なうことが難しい問題点がある。
更に、マグネット１やマグネット１内のコイルの交換を行う場合、撮影室を破壊して入れ替えを行わなければならない問題点がある。
【０００７】
本発明は、上記問題点に鑑みてなされたもので、その第１の目的は、屋根が高くならないMR装置用撮影室を提供することにある。
第２の目的は、被検体に恐怖感を与えないMR装置用撮影室を提供することにある。
【０００８】
第３の目的は、安全に保守ができるMR装置用撮影室を提供することにある。
第４の目的は、撮影室を壊さずに、マグネットやコイルの入れ替えが容易なMR装置用撮影室を提供することにある。
【０００９】
【課題を解決するための手段】
上記課題を解決する請求項１記載の発明は、柱で支持された縦型ボアのマグネットを有し、被検体が床面側から前記マグネット内へ搬送される縦型ボアMR装置を設置可能な撮影室であって、前記縦型ボアMR装置のマグネットの下方にあたることになる床面にピットを設けたことを特徴とするMR装置用撮影室である。
【００１０】
縦型ボアMR装置のマグネットの下方にあたることになる床面にピット(pit)を設けたことにより、ピットの底から縦型ボアMR装置のマグネット１の下方へ行き来できる。
【００１１】
従って、ピットの深さの分だけ支柱を短くできるので、縦型ボアMR装置の高さを低くくでき、MR装置用撮影室の屋根が高くならない。
請求項２記載の発明は、請求項１記載の発明の前記ピット内に前記被検体の正面と対向する階段を設けたことを特徴とするMR装置用撮影室である。
【００１２】
ピット内に前記被検体の正面と対向する階段を設けたことにより、被検体が昇降搬送される際に、恐怖感を和らげる。
請求項３記載の発明は、請求項１又は２記載の発明の前記マグネットの回りに、前記マグネットの上面と略同じ高さの足場を設けたことを特徴とするMR装置用撮影室である。
【００１３】
マグネットの回りに、前記マグネットの上面と略同じ高さの足場を設けたことにより、マグネット上面の保守が安全にできる。
請求項４記載の発明は、請求項１乃至３のいずれかに記載の発明の前記縦型ボアMR装置の上方にあたることになる屋根が取り外し可能であることを特徴とするMR装置用撮影室である。
【００１４】
縦型ボアMR装置の上方にあたることになる屋根が取り外し可能であることにより、撮影室を壊さずに、マグネットやコイルの入れ替えが可能となる。
【００１５】
【発明の実施の形態】
最初に、本発明の一実施の形態例の斜視図である図１を用いて説明を行う。
縦型ボアMR装置１０の縦型ボアのマグネット１１は、床面FLに設けられた四本の支柱１３,１３'によって支持されている。
【００１６】
マグネット１１の下方にあたる床面FLには、ピット２１が設けられている。
次に、図１のピット部分を破断した側面図である図２において、被検体３１は昇降機構４１によって昇降搬送される座席４３上に座っており、被検体３１の頭部には、ヘッドコイル(head coil)３３が装着されている。
【００１７】
更に、本実施の形態例では、昇降機構４１は、被検体３１が脳機能解析の一法として演奏するキーボード４５も被検体３１と共に昇降搬送するようになっている。
【００１８】
又、支柱１３'には、操作員３５が操作する昇降機構４１のスイッチ４７が設けられている。
縦型ボアMR装置１０の操作を行なう
そして、ピット２１内には、被検体３１の正面と対向する階段５１が設けられている。
【００１９】
次に、この縦型ボアMR装置１０が設けられる撮影室全体を示す図３において、縦型ボアMR装置１０のマグネット１１の回りには、マグネット１１の上面と略同じ高さの足場６１が設けられている。
【００２０】
更に、縦型ボアMR装置１０の上方にあたる屋根７１は取り外し可能な構造となっている。
次に、上記構成の縦型ボアMR装置１０の動作を説明する。
【００２１】
図１及び図２に示すように、被検体３１は、ピット２１に設けられた階段５１を介して、昇降機構４１によって昇降される座席４３上に着座する。
操作員３５は被検体３１の頭部にヘッドコイル３３を装着し、スイッチ４７を操作して、図４に示すように、被検体３１の頭部をマグネット１１のマグネットセンタまで搬送する。
【００２２】
被検体３１はキーボード４５を用いて演奏し、この時の被検体の脳の機能が調べられる。
上記構成によれば、縦型ボアMR装置１０のマグネット１１の下方の床面にピット２１を設けたことにより、ピット２１の底から縦型ボアMR装置のマグネット１の下方へ行き来できる。
【００２３】
従って、ピット２１の深さの分だけ支柱１３,１３'を短くできるので、縦型ボアMR装置１０の高さが低くくでき、MR装置用撮影室の屋根７１の高さを低くできるできると共に、マグネット１１の側部に設けえられる機器、例えば、冷媒(例えば、ヘリウム)の冷却を行なうコールドヘッド(Cold Head)の保守も容易となる。
【００２４】
ピット２１内に被検体３１の正面と対向する階段５１を設けたことにより、被検体３１が昇降搬送される際に、恐怖感を和らげる。
マグネット１１の回りに、マグネット１１の上面と略同じ高さの足場６１を設けたことにより、マグネット１１上面での保守作業、例えば、マグネット１１へ電力を供給するリードケーブル(Lead Cable)の取り付け/取り外し、冷媒の再補充、冷媒の液面,圧力計測器の調整、コイルの交換、冷媒が異常蒸発した場合、気化した冷媒を放出するクエンチベンティングダクト(Quench Venting Duct)の固定等の作業が安全にできる。
【００２５】
縦型ボアMR装置１０の上方にあたる屋根７１が取り外し可能であることにより、MR装置用撮影室を壊さずに、マグネット１１やマグネットコイルの入れ替えが可能となる。
【００２６】
【発明の効果】
以上述べたように、請求項１記載の発明によれば、MR装置用撮影室の屋根が高くならない。
【００２７】
請求項２記載の発明によれば、被検体に恐怖感を与えない。
請求項３記載の発明によれば、安全に保守ができる。
請求項４記載の発明によれば、建物を壊さずに、マグネットやコイルの入れ替えが容易となる。
【図面の簡単な説明】
【図１】本発明の一実施の形態例の斜視図である。
【図２】図１のピット部分を破断した側面図である。
【図３】図１の縦型ボアMR装置が設けられる撮影室全体を示す図である。
【図４】縦型ボアMR装置の動作を説明する図である。
【図５】縦型ボアMR装置の斜視図である。
【符号の説明】
１０  縦型ボアMR装置
１１  マグネット
１３,１３'  支柱
２１  ピット
３１  被検体
FL  床面
【図１】
0004230630.tif 000002
【図２】
0004230630.tif 000003
【図３】
0004230630.tif 000004
【図４】
0004230630.tif 000005
【図５】
0004230630.tif 000006